(57)【要約】【課題】床部を即座に暖めることができるとともに、エネルギー効率も改善できる空調システムを提供する。【解決手段】建物１の床下空間４に吹出型の空調装置としてのエアコンディショナーの屋内機３が設置された空調システムであって、エアコンディショナーの屋内機３の側部に設けられた床下用吹出部３３の先端部１１が上方を向いており、床下空間４を形成する床部１ａの下面へ空調空気としての暖気を吹き付け可能とされた構成とされている。【選択図】図１
2015042912.tif 000002
【特許請求の範囲】
【請求項１】
建物の床下空間に吹出型の空調装置が設置された空調システムであって、
前記吹出型の空調装置の床下用吹出部の先端部が上方を向いており、前記床下空間を形成する床部の下面へ空調空気を吹き付け可能とされていることを特徴とする空調システム。
【請求項２】
前記床下空間は、側壁は断熱材が取り付けた断熱構造とされ、前記床部は熱が伝導しやすい熱伝導構造とされていることを特徴とする請求項１に記載の空調システム。
【請求項３】
前記床下用吹出部は、前記吹出型の空調装置の側部に設けられており、先端部が上方を向いていることを特徴とする請求項１又は２に記載の空調システム。
【請求項４】
前記床下用吹出部の先端部は、前記吹出型の空調装置の上面の高さ位置以下に設定されていることを特徴とする請求項３に記載の空調システム。
【請求項５】
前記床下用吹出部の先端部は、吹き出される空調空気が、前記床下空間を形成する前記床部の略中央の下面へ吹き付けられる位置に配置されていることを特徴とする請求項１乃至４のいずれか１項に記載の空調システム。
【請求項６】
前記吹出型の空調装置には、前記床下空間の上方の床上空間に設けられた給気口とダクトを介して接続された床上用吹出部も設けられており、前記床下用吹出部の先端部からの前記床下空間を形成する床部の下面への空調空気の吹き付けを阻害しない位置に配設されていることを特徴とする請求項１乃至５のいずれか１項に記載の空調システム。
【請求項７】
請求項１乃至６のいずれか１項に記載の空調システムを備えていることを特徴とする建物。
【発明の詳細な説明】
【技術分野】
【０００１】
本発明は、空調システム、及びこの空調システムを備えた建物に関するものである。
【背景技術】
【０００２】
従来から、建物の床下空間内に空調装置が設置された空調システムが知られている。
【０００３】
例えば、特許文献１に開示された空調システムでは、空調装置に設けられた床下用吹出部から吹き出される空調空気としての暖気により床下空間が暖められ、その熱が床部を伝わって床上空間がムラなく略均一に暖まる床下暖房が行え、ユーザーから好評を得ている。
【先行技術文献】
【特許文献】
【０００４】
【特許文献１】特開２０１０−２４３１４２号公報
【発明の概要】
【発明が解決しようとする課題】
【０００５】
この特許文献１に開示された空調システムでは、床部自体も暖まることに対しても好評を得ている。
【０００６】
しかしながら、床下用吹出部が側方を向いていることから、床部が暖まるまでにかなりの時間が掛かっていた。
【０００７】
また、床部略全面を暖めるのは、快適性への寄与が小さい部屋の隅部や家具の下なども暖めることになり、エネルギー効率という点では改善の余地があった。
【０００８】
そこで、本発明は、床部を即座に暖めることができるとともに、エネルギー効率も改善できる空調システム、及びこの空調システムを備えた建物を提供することを目的としている。
【課題を解決するための手段】
【０００９】
前記目的を達成するために、本発明の空調システムは、建物の床下空間に吹出型の空調装置が設置された空調システムであって、前記吹出型の空調装置の床下用吹出部の先端部が上方を向いており、前記床下空間を形成する床部の下面へ空調空気を吹き付け可能とされていることを特徴とする。
【００１０】
ここで、前記床下空間は、側壁は断熱材が取り付けた断熱構造とされ、前記床部は熱が伝導しやすい熱伝導構造とされているとよい。
【００１１】
また、前記床下用吹出部は、前記吹出型の空調装置の側部に設けられており、先端部が上方を向いているとよい。
【００１２】
さらに、前記床下用吹出部の先端部は、前記吹出型の空調装置の上面の高さ位置以下に設定されているとよい。
【００１３】
また、前記床下用吹出部の先端部は、吹き出される空調空気が、前記床下空間を形成する前記床部の略中央の下面へ吹き付けられる位置に配置されているとよい。
【００１４】
さらに、前記吹出型の空調装置には、前記床下空間の上方の床上空間に設けられた給気口とダクトを介して接続された床上用吹出部も設けられており、前記床下用吹出部の先端部からの前記床下空間を形成する床部の下面への空調空気の吹き付けを阻害しない位置に配設されているとよい。
【００１５】
本発明の建物は、上記した本発明の空調システムを備えていることを特徴とする。
【発明の効果】
【００１６】
このような本発明の空調システムは、建物の床下空間に吹出型の空調装置が設置された空調システムであって、吹出型の空調装置の床下用吹出部の先端部が上方を向いており、床下空間を形成する床部の下面へ空調空気を吹き付け可能とされた構成とされている。
【００１７】
上記した構成なので、吹出型の空調装置の床下用吹出部の先端部から吹き出された空調空気としての暖気が直接に床部の下面へ吹き付けられるため、床部を即座に暖めることができる。
【００１８】
ここで、床下空間は、側壁は断熱材が取り付けた断熱構造とされ、床部は熱が伝導しやすい熱伝導構造とされている場合は、側壁から熱が屋外へ逃げるのを極力防止できるとともに、床部の下面から上面へ熱が伝わりやすいので、効率のよい床下暖房を行うことができる。
【００１９】
また、床下用吹出部は、吹出型の空調装置の側部に設けられており、先端部が上方を向いている場合は、上下幅が狭い床下空間にも容易に対応することができる。
【００２０】
さらに、床下用吹出部の先端部は、吹出型の空調装置の上面の高さ位置以下に設定されている場合は、上下幅がさらに狭い床下空間にも容易に対応することができる。
【００２１】
また、床下用吹出部の先端部は、吹き出される空調空気が、床下空間を形成する床部の略中央の下面へ吹き付けられる位置に配置されている場合は、居住者などの人が多く集まる床部の略中央の上面を重点的に暖めることができ、エネルギー効率を改善できる。
【００２２】
さらに、吹出型の空調装置には、床下空間の上方の床上空間に設けられた給気口とダクトを介して接続された床上用吹出部も設けられており、床下用吹出部の先端部からの床下空間を形成する床部の下面への空調空気の吹き付けを阻害しない位置に配設されている場合は、即効性を有する床上暖房を行えるうえに、この床上暖房を行うための床上用吹出部やこれに接続されたダクトなどが、床下用吹出部の先端部からの床部の下面への空調空気としての暖気の吹き付けを阻害することがない。
【００２３】
このような本発明の建物は、上記した本発明の空調システムを備えた構成とされている。
【００２４】
上記した構成なので、上記した本発明の空調システムの効果を奏する建物とすることができる。
【図面の簡単な説明】
【００２５】
【図１】実施例の空調システムを備えた建物の概略構成を示す説明図である。
【発明を実施するための形態】
【００２６】
以下、本発明を実施するための形態を、図面に示す実施例に基づいて説明する。
【実施例】
【００２７】
先ず、実施例の構成について説明する。
【００２８】
図１は、実施例の空調システムを備えた建物１の概略構成を示している。
【００２９】
この建物１は、断熱基礎として構築された基礎底盤コンクリート１ｂと、その側縁に立設された側壁としての基礎側壁コンクリート１ｃと、さらにその上に立設された外壁部１ｄと、その外壁部１ｄの上端開口を塞ぐ天井部１ｅとから主に構成されている。
【００３０】
そして、この天井部１ｅと外壁部１ｄとに囲まれる空間は、床部１ａによって床下空間４と居室などに用いられる床上空間５とが区切られた構成となっている。
【００３１】
ここで、床部１ａは、下面から上面へ熱が伝わりやすい熱伝導構造とされている。
【００３２】
また、基礎側壁コンクリート１ｃの床下空間４側には、グラスウールなどの断熱材１０が取り付けられており、床下空間４内の熱が屋外に極力漏れない断熱構造となっている。
【００３３】
そして、床下空間４内には、吹出型の空調装置としてのエアコンディショナーの屋内機３が設置されている。
【００３４】
ここで、このエアコンディショナーの屋内機３は、ヒートポンプ式であり、熱媒循環管路２１により、建物１の屋外に設置された屋外機２と接続されている。
【００３５】
また、このエアコンディショナーの屋内機３は、除湿機能を有し、床下空間４から屋外へ貫通する排水用のドレイン１２が設けられている。
【００３６】
さらに、このエアコンディショナーの屋内機３は、その側部に、吸込部３１と、床上用吹出部３２と、床下用吹出部３３とを有している。
【００３７】
ここで、床上用吹出部３２の先端部１１は、上方を向いており、空調空気としての暖気を吹き出すと、床部１ａの略中央の下面に吹き付けられる位置に配置されている。
【００３８】
さらに、床上用吹出部３２の先端部１１は、エアコンディショナーの屋内機３の上面の高さ位置以下に設定されている。
【００３９】
また、このエアコンディショナーの屋内機３には、床上用吹出部３２及び床下用吹出部３３から空気を様々な強さで吹き出させることが可能なファン（図示せず）が内蔵されている。
【００４０】
さらに、床上用吹出部３２と床下用吹出部３３とには、電動ダンパーなどから成る開閉弁３２ａ，３３ａがそれぞれ設けられている。
【００４１】
また、床部１ａには、グリル付きの、排気口６と、２種類の給気口７，９とが設けられている。
【００４２】
ここで、給気口７は、ダクト８２により、エアコンディショナーの屋内機３の床上用吹出部３２と接続されており、別の給気口９は、ダクトを介さず、床下空間４と直接連通している。
【００４３】
なお、床上用吹出部３２やダクト８２は、床下用吹出部３３の下方に位置しているため、床下用吹出部３３から床部１ａの下面への空調空気としての暖気の吹き付けを阻害しないようになっている。
【００４４】
また、エアコンディショナーの屋内機３の吸込部３１と排気口６との間もダクト８１で接続されている。
【００４５】
さらに、床上空間５内には、コントローラとしてのリモートコントローラ１３も設けられている。
【００４６】
次に、実施例の作用効果について説明する。
【００４７】
このような実施例の空調システムは、建物１の床下空間４に吹出型の空調装置としてのエアコンディショナーの屋内機３が設置された空調システムであって、エアコンディショナーの屋内機３の床下用吹出部３３の先端部１１が上方を向いており、床下空間４を形成する床部１ａの下面へ空調空気としての暖気を吹き付け可能とされた構成とされている。
【００４８】
上記した構成なので、吹出型の空調装置としてのエアコンディショナーの屋内機３の床下用吹出部３３の先端部１１から吹き出された空調空気としての暖気が直接に床部１ａの下面へ吹き付けられるため、床部１ａを即座に暖めることができる。
【００４９】
ここで、床下空間４は、側壁としての基礎側壁コンクリート１ｃは断熱材１０が取り付けた断熱構造とされ、床部１ａは熱が伝導しやすい熱伝導構造とされている。
【００５０】
このため、基礎側壁コンクリート１ｃから熱が屋外へ逃げるのを極力防止できるとともに、床部１ａの下面から上面へ熱が伝わりやすいので、効率のよい床下暖房を行うことができる。
【００５１】
また、床下用吹出部３３は、吹出型の空調装置としてのエアコンディショナーの屋内機３の側部に設けられており、先端部１１が上方を向いている。
【００５２】
このため、上下幅が狭い床下空間４にも容易に対応することができる。
【００５３】
さらに、床下用吹出部３３の先端部１１は、吹出型の空調装置としてのエアコンディショナーの屋内機３の上面の高さ位置以下に設定されている。
【００５４】
このため、上下幅がさらに狭い床下空間４にも容易に対応することができる。
【００５５】
また、床下用吹出部３３の先端部１１は、吹き出される空調空気としての暖気が、床下空間４を形成する床部１ａの略中央の下面へ吹き付けられる位置に配置されている。
【００５６】
このため、居住者などの人が多く集まる床部１ａの略中央の上面を重点的に暖めることができ、エネルギー効率を改善できる。
【００５７】
さらに、吹出型の空調装置としてのエアコンディショナーの屋内機３には、床下空間４の上方の床上空間５に設けられた給気口７とダクト８２を介して接続された床上用吹出部３２も設けられており、床下用吹出部３３の先端部１１からの床下空間４を形成する床部１ａの下面への空調空気としての暖気の吹き付けを阻害しない位置に配設されている。
【００５８】
このため、即効性を有する床上暖房を行えるうえに、この床上暖房を行うための床上用吹出部３２やこれに接続されたダクト８２などが、床下用吹出部３３の先端部１１からの床部１ａの下面への空調空気としての暖気の吹き付けを阻害することがない。
【００５９】
このような実施例の建物１は、上記した実施例の空調システムを備えた構成とされている。
【００６０】
上記した構成なので、上記した実施例の空調システムの作用効果を奏する建物とすることができる。
【００６１】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００６２】
例えば、上記した実施例では、建物１を、説明が簡単なように、単純な構造としたが、勿論、これに限定されず、より複雑な構造として実施してもよい。
【００６３】
また、上記した実施例では、床下用吹出部３３から空調空気として暖気を吹き出す場合のみについて説明したが、これに限定されず、床下用吹出部３３から、空調空気として、除湿した冷気を吹き出して、床下冷房を行えるようにして実施してもよい。
【００６４】
さらに、上記した実施例では、床下用吹出部３３の先端部１１から床部１ａの略中央の下面に空調空気を吹き付けるようにして実施したが、これに限定されず、例えば、居住者などの人が多く集まる床部１ａの箇所が略中央でない場合は、その箇所の近傍に吹き付けるようにして実施してもよい。
【００６５】
また、上記した実施例では、床下用吹出部３３の下方に床上用吹出部３２を設けて実施したが、これに限定されず、例えば、床下用吹出部３３と床上用吹出部３２とを横並びに設けて実施すれば、吹出型の空調装置としてのエアコンディショナーの屋内機３の上下幅をよりコンパクトにでき、上下幅がさらに一層狭い床下空間４にも容易に対応することができるので、好ましい。
【符号の説明】
【００６６】
１      建物
１ａ    床部
１ｂ    基礎底盤コンクリート
１ｃ    基礎側壁コンクリート（側壁）
１ｄ    外壁部
１ｅ    天井部
２      エアコンディショナーの屋外機
２１    熱媒循環管路
３      エアコンディショナーの屋内機（空調装置）
３１    吸込部
３２    床上用吹出部
３２ａ  開閉弁
３３    床下用吹出部
３３ａ  開閉弁
４      床下空間
５      床上空間
６      排気口
７      給気口
８１    ダクト
８２    ダクト
９      別の給気口
１０    断熱材
１１    床下用吹出部の先端部
１２    ドレイン
１３    リモートコントローラ（コントローラ）
【図１】
2015042912.tif 000003